(57)【要約】【課題】  美粧性及び折り畳み性の両立を図ることができ、よりコンパクトに折り畳むことができる陳列台を提供する。【解決手段】  陳列台１０は、背板２０と、背板２０の下端部に折り曲げ可能に連なる台板３０と、背板２０の左右の側端部に折り曲げ可能に連なる左右の側板４０Ｌ，４０Ｒと、使用形態において、台板３０の前縁部に沿って手前側に膨らむ略円弧状に形成され、左右の側板４０Ｌ，４０Ｒの間を帯状に繋ぐ正面板５０と、を備える。正面板５０の左右方向の長さは、背板の左右方向の幅以下であり、正面板５０は、左右の側板４０Ｌ，４０Ｒを台板３０の裏面側に折り曲げる過程において、左右の側板４０Ｌ，４０Ｒに左右両側の部分５１Ｌ，５１Ｒが重なるようにスライドすることにより、略円弧状から扁平状に変形する。【選択図】  図１
2015128517.tif 000002
【特許請求の範囲】
【請求項１】
商品を陳列する使用形態から、扁平状に折り畳まれた折り畳み形態に変形可能な陳列台であって、
背板と、
前記背板の下端部に折り曲げ可能に連なるとともに前記折り畳み形態において前記背板の前面に沿って折り畳まれる台板と、
前記背板の左右の側端部に折り曲げ可能に連なるとともに前記折り畳み形態において前記台板の裏面側に重なるように折り畳まれる左右の側板と、
前記使用形態において、前記台板の前縁部に沿って手前側に膨らむ略円弧状に形成され、前記左右の側板の間を帯状に繋ぐ正面板と、を備え、
前記正面板の左右方向の長さが、前記背板の左右方向の幅以下であり、
前記正面板が、前記左右の側板を前記台板の裏面側に折り曲げる過程において、前記左右の側板に左右両側の部分が重なるようにスライドすることにより、略円弧状から扁平状に変形することを特徴とする陳列台。
【請求項２】
前記左右の側板がそれぞれ２重壁で構成され、
前記正面板の前記左右両側の部分が、前記左右の側板の２つの壁の間をスライドすることを特徴とする請求項１に記載の陳列台。
【請求項３】
前記正面板の左右両側の端部が前記使用形態において前記左右の側板に係止され、
前記左右の側板からの前記正面板の引き抜けが防止されることを特徴とする請求項２に記載の陳列台。
【請求項４】
前記台板が、平面視において、前記背板側の後端部から前記前縁部に行くにしたがって幅が狭くなるような略多角形状であり、
前記左右の側板が、前記台板の角部に対応する位置に折り曲げ部を有するとともに前記使用形態において前記折り曲げ部を基点に前記台板の側部の形状に沿って滑らかに折り曲げられており、
前記正面板及び前記左右の側板が平面視で全体的に略半円形状をなすことを特徴とする請求項１ないし３のいずれか１項に記載の陳列台。
【発明の詳細な説明】
【技術分野】
【０００１】
本発明は、陳列台に関する。
【背景技術】
【０００２】
従来、商品を陳列する陳列台に関し、各種の技術が提案されている（例えば、特許文献１参照）。
【０００３】
特許文献１の陳列台は、特許文献１の第１図に示されるように、背板と、この背板の左右両側の端部に連なり手前側に膨らむように湾曲した半筒体と、この半筒体の内面に折り曲げ可能に接続され台板を構成する上横板及び下横板とを備える。上横板及び下横板のそれぞれの背板側の端部同士は、縦板によって上下に連結される。そして、この陳列台では、台板に商品を載置することができる一方、上横板及び下横板を背板に沿うように縦板に対して倒すと同時に半筒体の両側部を折り曲げることにより、半筒体を扁平状に折り畳むことができる。
【０００４】
このように、特許文献１に開示される技術では、美粧性を高めるうえで有効とされる湾曲した正面部分（半筒体）を採用するとともに陳列台を扁平状に折り畳み可能としている。これにより、美粧性と折り畳み性の両立を図っている。
【０００５】
ところで、近年、陳列台には、美粧性や折り畳み性に加え、よりコンパクトに折り畳むことができる機能も要望されている。しかし、特許文献１の陳列台においては、背板の左右両側の端部に連なる半筒体を単に扁平状に折り畳む構造である。このため、半筒体の折り畳まれたときの幅は背板よりも必然的に大きくなる。その結果、折り畳まれた陳列台の幅が大きくなってしまい、上記要望に応えることは難しい。
【先行技術文献】
【特許文献】
【０００６】
【特許文献１】実開平３−１１８５９
【発明の概要】
【発明が解決しようとする課題】
【０００７】
本発明は、このような事情に鑑みてなされたものであり、その目的は、美粧性及び折り畳み性の両立を図ることができ、しかも、よりコンパクトに折り畳むことができる陳列台を提供することにある。
【課題を解決するための手段】
【０００８】
本発明は、以下の構成によって把握される。
（１）本発明は、商品を陳列する使用形態から、扁平状に折り畳まれた折り畳み形態に変形可能な陳列台であって、背板と、背板の下端部に折り曲げ可能に連なるとともに折り畳み形態において背板の前面に沿って折り畳まれる台板と、背板の左右の側端部に折り曲げ可能に連なるとともに折り畳み形態において台板の裏面側に重なるように折り畳まれる左右の側板と、使用形態において、台板の前縁部に沿って手前側に膨らむ略円弧状に形成され、左右の側板の間を帯状に繋ぐ正面板と、を備え、正面板の左右方向の長さが、背板の左右方向の幅以下であり、正面板が、左右の側板を台板の裏面側に折り曲げる過程において、左右の側板に左右両側の部分が重なるようにスライドすることにより、略円弧状から扁平状に変形することを特徴とする。
【０００９】
（２）本発明は、上記（１）の構成において、左右の側板がそれぞれ２重壁で構成され、正面板の左右両側の部分が、左右の側板の２つの壁の間をスライドすることを特徴とする。
【００１０】
（３）本発明は、上記（２）の構成において、正面板の左右両側の端部が使用形態において左右の側板に係止され、左右の側板からの正面板の引き抜けが防止されることを特徴とする。
【００１１】
（４）本発明は、上記（１）ないし（３）のいずれかの構成において、台板が、平面視において、背板側の後端部から前縁部に行くにしたがって幅が狭くなるような略多角形状であり、左右の側板が、台板の角部に対応する位置に折り曲げ部を有するとともに使用形態において折り曲げ部を基点に台板の側部の形状に沿って滑らかに折り曲げられており、正面板及び左右の側板が平面視で全体的に略半円形状をなすことを特徴とする。
【発明の効果】
【００１２】
本発明によれば、美粧性及び折り畳み性の両立を図ることができ、しかも、よりコンパクトに折り畳むことができる陳列台が提供される。
【図面の簡単な説明】
【００１３】
【図１】本発明に係る実施形態の使用形態における陳列台の斜視図である。
【図２】図１に示される陳列台の折り畳み形態における正面図である。
【図３】陳列台の分解図であり、各要素をシート状に展開して示す図である。
【図４】正面板の作用図であり、（ａ）は使用形態における正面板及び側板の正面図、（ｂ）は折り畳み形態における正面板及び側板の正面図である。
【図５】陳列台を使用形態に変形する過程を示す図であり、（ａ）は折り畳み形態の陳列台の正面図、（ｂ）は変形途中の陳列台を斜め上方から見た斜視図、（ｃ）は使用形態に変形した陳列台を斜め上方から見た斜視図である。
【図６】陳列台を折り畳み形態に変形する過程を示す図であり、（ａ）は使用形態の陳列台を斜め上方から見た斜視図、（ｂ）は変形途中の陳列台を斜め上方から見た斜視図、（ｃ）は折り畳み形態に変形した陳列台の正面図である。
【図７】比較例の陳列台の斜視図であり、図１に対応する図である。
【図８】折り畳み形態における陳列台の幅を比較する図であり、（ａ）は比較例の陳列台の正面図、（ｂ）は実施形態の陳列台の正面図である。
【図９】半円における直径と周長の関係を説明する図である。
【発明を実施するための形態】
【００１４】
以下、添付図面を参照して、本発明を実施するための形態（以下、「実施形態」と称する）について詳細に説明する。実施形態の説明の全体を通して同じ要素には同じ番号を付している。また、図面は、符号の向きに見るものとする。また、実施形態において、「前」、「後」は、各々、陳列台に正対したときの「手前」側、「奥」側を示す。
【００１５】
（陳列台１０の全体構成）
まず、陳列台１０の全体構成を図１及び図２に基づいて説明する。
実施形態の陳列台１０は、商品１１を陳列する使用形態（図１参照）から、扁平状に折り畳まれて運搬・保管する折り畳み形態（図２参照）に変形可能に構成される。ここで、商品１１は、化粧品や日用雑貨などであり、種類は任意である。
【００１６】
陳列台１０は、背板２０、台板３０、左右の側板４０Ｌ，４０Ｒ及び正面板５０を備える。この例では、段ボールによって構成される背板２０、台板３０、左右の側板４０Ｌ，４０Ｒ及び厚紙によって構成される正面板５０を示すが、本発明にいう「背板」、「台板」、「側板」及び「正面板」は、紙製のシートで構成されるものであれば種類は任意である。
【００１７】
なお、左右の側板４０Ｌ，４０Ｒは、左右対称形状であるため、以下の説明において、側板４０Ｌ，４０Ｒを纏めて「側板４０」と称する場合がある。
【００１８】
（陳列台１０の各部の構成）
次に、陳列台１０の各部の構成を図３に基づいて説明する。
図３は、陳列台１０の分解図であり、背板２０、台板３０、左右の側板４０Ｌ，４０Ｒ及び正面板５０のそれぞれを形成するための各ブランクシートの平面図である。なお、図３において円で囲われる部分では、段ボールの段目１２の方向を示している。
【００１９】
（背板２０の構成）
図３に示すように、背板２０は、左右方向に直線状に延びる下端部２１と、この下端部２１の左右両端から上方に直線状に延びる左右の側端部２２と、上側に膨らむ略円弧状に形成され左右の側端部２２の上端を繋ぐ上端部２３とを有する。
【００２０】
（台板３０の構成）
台板３０は、背板２０の下端部２１に折り曲げ可能に連なるとともに折り畳み形態（図２参照）において背板２０の前面に沿って折り畳まれる。台板３０は、上壁３１及び下壁３２と、これら上壁３１及び下壁３２の後端同士を連結する連結部３３と、上壁３１の前縁部３１ｄに連なる舌状部３５とを有する。
【００２１】
上壁３１は、平面視で後端部３１ａから前縁部３１ｄに行くにしたがって徐々に幅が狭くなるように形成される略多角形状である。この例では、上壁３１の外周を、左右方向に延びる後端部３１ａと、後端部３１ａの左右両端に略直角に連なる左右の側端部３１ｂと、左右の側端部３１ｂから内側に傾斜する左右の傾斜部３１ｃと、左右の傾斜部３１ｃの前端同士を繋ぐ前縁部３１ｄとにより形成する。また、上壁３１には、商品１１の底部外周を保持する略円形の複数（この例では、５つ）の保持穴３６が形成される。前縁部３１ｄは、例えば、前側に膨らむ略円弧状の縁部、１本の直線からなる縁部又は２つ以上の直線を緩やかに繋いだ縁部などによって形成することができる。
【００２２】
下壁３２は、連結部３３を挟んで上壁３１と対称な略多角形状に形成されており、上壁３１の後端部３１ａ、左右の側端部３１ｂ、左右の傾斜部３１ｃ及び前縁部３１ｄに対応する後端部３２ａ、左右の側端部３２ｂ、左右の傾斜部３２ｃ及び前縁部３２ｄを有する。
【００２３】
連結部３３は、上壁３１の左右方向の幅と略同じ幅で形成され、左右方向に長い略長方形状に形成される。連結部３３の一対の長辺部（後端部３１ａ及び後端部３２ａ）には、折り曲げの基点となる横罫線１３ａが形成される。連結部３３は、背板２０の下端部２１に接着剤で接着され、これにより、台板３０は、横罫線１３ａを基点に折り曲げ可能に背板２０の下端部２１に連なる。
【００２４】
舌状部３５は、上壁３１の前縁部３１ｄの中央に横罫線１３ａを介して連なる支持部３５ａと、この支持部３５ａに横罫線１３ａを介して連なり下壁３２の前端に接着剤で接合される接合片３５ｂとを有する。支持部３５ａは、連結部３３の短辺の長さと略同じ長さに形成されており、下壁３２の前縁部３２ｄと上壁３１の前縁部３１ｄを連結する。
【００２５】
このように構成される台板３０は、使用形態（図１参照）においては、支持部３５ａによって下壁３２と上壁３１が離間して対向するように組み立てられる。そして、保持穴３６に上から嵌合された商品１１の底面が下壁３２の上面で支持されるともに、商品１１の底部外周が保持穴３６に保持される。また、台板３０は、横罫線１３ａを折り曲げながら上壁３１及び下壁３２を持ち上げることにより、上壁３１と下壁３２が重なるようにして背板２０に沿って折り畳まれる（図２参照）。
【００２６】
（側板４０の構成）
左右の側板４０Ｌ，４０Ｒは、背板２０の左右の側端部２２に折り曲げ可能に連なるとともに折り畳み形態（図２参照）において台板３０の裏面側に重なるように折り畳まれる。左右の側板４０Ｌ，４０Ｒのそれぞれは、２重壁で構成される。この例では、各側板４０は、上端部４１を介して連なる外壁４２及び内壁４３で構成される。上端部４１は、使用形態（図１参照）において、前方に行くにしたがって徐々に内側に傾斜しかつ前下がりに形成される。内壁４３及び外壁４２のそれぞれは、斜め罫線１３ｂを介して上端部４１に連なる。
【００２７】
外壁４２は、上下方向に形成される後端部４２ａと、この後端部４２ａの下端に略直角に連なる下端部４２ｂと、この下端部４２ｂの前端と上端部４１の前端と結ぶように上下方向に沿って形成される前端部４２ｃとを有する。後端部４２ａには、縦罫線１３ｃを介して接合片４５が連なる。また、下端部４２ｂには、横罫線１３ａを介して２つの接合片４６が連なる。
【００２８】
内壁４３は、上端部４１を挟んで外壁４２と対称な形状に形成されており、外壁４２の後端部４２ａ、下端部４２ｂ及び前端部４２ｃのそれぞれに対応する後端部４３ａ、下端部４３ｂ及び前端部４３ｃを有する。
【００２９】
このように構成される側板４０では、上端部４１の両側に形成される斜め罫線１３ｂを折り曲げて内壁４３と外壁４２を重ね合わせ、接合片４６を内壁４３に接着剤で接着することで、２重壁が形成される。２重壁を形成する内壁４３と外壁４２は、上端部４１の幅に相当する分だけ離間して対向するため、内壁４３と外壁４２の対向面間には、隙間部４７（図１参照）が形成される。また、接合片４５を背板２０の後面に接着剤で接着することにより、左右の側板４０Ｌ，４０Ｒのそれぞれが、背板２０の左右の側端部２２に折り曲げ可能に連なる。
【００３０】
さらに、内壁４３及び外壁４２のそれぞれにおいて、台板３０の角部３７に対応する位置には、上下方向に沿って、縦罫線４８及び切り込み４９が形成される。側板４０は、使用形態（図１参照）において、縦罫線４８及び切り込み４９を基点にして、台板３０の側部（側端部３１ｂ，３２ｂ及び傾斜部３１ｃ，３２ｃ）に沿って滑らかに折れ曲がる。なお、縦罫線４８及び切り込み４９は、本発明にいう「折り曲げ部」に相当する。
【００３１】
（正面板５０の構成）
正面板５０は、使用形態（図１参照）において、台板３０の前縁部３１ｄ，３２ｄに沿って前側（本発明にいう「手前側」に相当）に膨らむ略円弧状に形成され、左右の側板４０Ｌ，４０Ｒの間を帯状に繋ぐ。正面板５０の左右両側の部分５１Ｌ，５１Ｒは、左右の側板４０Ｌ，４０Ｒの隙間部４７（図１参照）をスライド可能である。また、正面板５０の左右両側の端部には、使用形態（図１参照）において、側板４０の上端部４１に係止される係止部５２を有する。さらに、正面板５０の左右方向の長さＬは、背板２０の左右方向の幅Ｗ以下に設定される。
【００３２】
（正面板５０の作用）
続いて、正面板５０の作用を図４に基づいて説明する。
図４（ａ）に示すように、使用形態においては、正面板５０の大部分が略円弧状に湾曲した状態で露出しており、正面板５０の左右両側の端部のみが側板４０の隙間部４７にある。また、正面板５０の左右両側の端部では、係止部５２が左右の側板４０の上端部４１に引っ掛かっているため、正面板５０の側板４０からの引き抜けが防止されている。
【００３３】
この状態から、側板４０Ｌの前端部４２ｃ，４３ｃと側板４０Ｒの前端部４２ｃ，４３ｃを互いに近づけていくと、図４（ｂ）に示すように、正面板５０の左右両側の部分５１Ｌ，５１Ｒが左右の側板４０Ｌ，４０Ｒに重なるようにスライドしながら隙間部４７に入っていく。より具体的には、左右の側板４０Ｌ，４０Ｒを台板３０（図２参照）の裏面側に折り曲げる過程において、左右両側の部分５１Ｌ，５１Ｒが左右の側板４０Ｌ，４０Ｒの隙間部４７をスライドすることにより、正面板５０全体が略円弧状から徐々に変形し扁平状になる。
【００３４】
（陳列台１０の変形方法）
以上のように構成される陳列台１０の変形方法を図５、図６に基づいて説明する。
【００３５】
図５（ａ）に示すように、陳列台１０を折り畳み形態から使用形態に変形する場合、まず、背板２０に沿って折り畳まれている台板３０を下方に倒していく(矢印（１）)。
【００３６】
すると、図５（ｂ）に示すように、台板３０の側端部３１ｂ，３２ｂ及び傾斜部３１ｃ，３２ｃによって側板４０の内壁４３が外側方に押されるため、折り畳まれていた左右の側板４０Ｌ，４０Ｒが開く(矢印（２）)。
【００３７】
このように左右の側板４０Ｌ，４０Ｒが開いて、左右の側板４０Ｌ，４０Ｒの前端部４２ｃ，４３ｃが左右方向に離間すると、隙間部４７に収まっていた正面板５０の左右両側の部分５１Ｌ，５１Ｒが引き出される(矢印（３）)。同時に、正面板５０は、下方に倒される台板３０の前縁部３１ｄ，３２ｄによって前側に押され、前縁部３１ｄ，３２ｄに沿って略円弧状に膨らむ。また、左右の側板４０Ｌ，４０Ｒは、縦罫線４８（図３参照）及び切り込み４９（図３参照）により、台板３０の側部（側端部３１ｂ，３２ｂ及び傾斜部３１ｃ，３２ｃ）の形状に沿って滑らかに折り曲げられる。これにより、図５（ｃ）に示すように、左右の側板４０Ｌ，４０Ｒ及び正面板５０によって台板３０が囲われた使用形態の陳列台１０が得られる。
【００３８】
一方、陳列台１０を使用形態から折り畳み形態に変形する場合は、図６（ａ）に示すように、まず、台板３０を上方に起こす(矢印（４）)。
【００３９】
次に、図６（ｂ）に示すように、左右の側板４０Ｌ，４０Ｒで台板３０を側方から押すようにして左右の側板４０Ｌ，４０Ｒを台板３０の裏面に重ねるように折り畳んでいく（矢印（５）)。このとき、左右の側板４０Ｌ，４０Ｒの前端部４２ｃ，４３ｃを互いに近づけることで、露出していた正面板５０の左右両側の部分５１Ｌ，５１Ｒを隙間部４７にスライドさせて収めていく(矢印（６）)。そして、背板２０の前面に沿って台板３０、左右の側板４０Ｌ，４０Ｒを完全に折り畳むと、正面板５０は、扁平状に変形し大部分が左右の側板４０Ｌ，４０Ｒに収まった状態になる。これにより、図６（ｃ）に示すように、折り畳み形態の陳列台１０が得られる。
【００４０】
（実施形態の効果）
以上、説明した陳列台１０の効果について述べる。
本実施形態によれば、使用形態から折り畳み形態に、あるいは、折り畳み形態から使用形態に陳列台１０を容易に変形することができる。
【００４１】
特に、折り畳み形態から使用形態への変形に際しては、台板３０を下方に押し倒すだけで、左右の側板４０Ｌ，４０Ｒが開いて正面板５０が略円弧状に形成される。このため、誰でもワンタッチで陳列台１０を容易に組み立てることができる。また、美粧性を高めるうえで有効とされる湾曲した正面部分を略円弧状の正面板５０によって得ることができる。
【００４２】
また、台板３０を後端部３１ａ，３２ａから前縁部３１ｄ，３２ｄに行くにしたがって幅が狭くなる略多角形状に形成し、側板４０を台板３０の側部に沿って滑らかに折り曲げ可能とした。これにより、平面視において正面板５０及び左右の側板４０Ｌ，４０Ｒが全体的に略半円形状をなすため、より美粧性に優れる陳列台１０を得ることができる。
【００４３】
そして、陳列台１０では、正面板５０の左右両側の部分５１Ｌ，５１Ｒが左右の側板４０Ｌ，４０Ｒに重なるようにスライド可能とし、かつ、正面板５０の左右方向の長さＬを背板２０の左右方向の幅Ｗ以下とした。
【００４４】
これに対して、仮に、略半円形状の正面板を背板に直接連ねた場合について考える。
【００４５】
図７は、比較例の陳列台を説明する図であり、図１に対応させて描いた図である。図８（ａ）は比較例の陳列台の折り畳み形態を示す図、図８（ｂ）は実施形態の陳列台１０の折り畳み形態を示す図である。
【００４６】
図７に示すように、比較例の陳列台１００では、台板３０（図1参照）の代わりに略半円形状の台板１０１を採用し、左右の側板４０Ｌ，４０Ｒ（図１参照）及び正面板５０（図１参照）の代わりに、１枚の略半円形状の正面板１０２を採用する。台板１０１は、略半円形状の上壁１０１ａの前縁部と略半円形状の下壁１０１ｂの前縁部とを支持部１０１ｃで連結してなる。使用形態において、略半円形状の正面板１０２は、台板１０１の円弧に沿って形成されており、左右の側端部が背板１０３の左右の側端部に折り曲げ可能に連なる。また、略半円形状の正面板１０２の左右両側には、上下方向に沿って縦罫線１０５が形成される。
【００４７】
図８（ａ）に示すように、陳列台１００では、台板１０１を背板１０３の前面に沿って折り畳むとともに、縦罫線１０５を折り曲げながら、略半円形状の正面板１０２を台板１０１の裏面側に扁平状に折り畳むことができる。これにより、扁平状に折り畳まれた陳列台１００が得られる。
【００４８】
ここで、１つの半円の直径と周長の関係に着目する。
図９に示すように、１つの半円において、その半径をＲとすると、直径Ｄは（Ｒ×２）であり、半円の周長（円弧部分の周長）Ｌ１は（Ｒ×３．１４）である。つまり、半円の周長Ｌ１は、直径Ｄよりも、（Ｒ×３．１４）−（Ｒ×２）＝（Ｒ×１．１４）だけ大きい。したがって、比較例の陳列台１００のように、半円の周長Ｌ１に相当する正面板１０２を単に扁平状に折り畳む構造では、折り畳まれた正面板１０２の幅Ｗ１（図８（ａ）参照）は、直径Ｄに相当する背板１０３の幅Ｗよりも必然的に大きくなる。すなわち、正面板１０２を縦罫線１０５で折り曲げても、正面板１０２のうち上記の差（Ｒ×１．１４）に相当する分は、背板１０３から左右方向にはみ出してしまう。
【００４９】
この点、図８（ｂ）に示すように、陳列台１０では、折り畳む際、正面板５０の左右両側の部分５１Ｌ，５１Ｒが左右の側板４０Ｌ，４０Ｒに重なる。このため、半円の周長Ｌ１（図９参照）に相当する、正面板５０及び左右の側板４０Ｌ，４０Ｒの全長を、上記の差（Ｒ×１．１４）に相当する分、折り畳み形態において縮小することができる。また、正面板５０の左右方向の長さＬを、直径Ｄ（図８参照）に相当する背板２０の幅Ｗ以下としたので、折り畳み形態において、正面板５０は、湾曲することなく台板３０に沿って確実に扁平状になる。これにより、陳列台１０の幅は、背板２０の幅Ｗと略一致し、しかも、折り畳み形態と使用形態のいずれの形態においても同じ大きさになる。その結果、陳列台１０の幅Ｗは、比較例の陳列台１００の幅Ｗ１よりも格段に小さくなる。したがって、本実施形態によれば、優れた美粧性及び折り畳み性に加え、よりコンパクトに折り畳むことができる陳列台１０を提供することができる。
【００５０】
さらに、陳列台１０においては、正面板５０の左右両側の部分５１Ｌ，５１Ｒが、側板４０の内壁４３と外壁４２の間をスライドするので、正面板５０が両側からガイドされる。これにより、正面板５０を側板４０に対して円滑にスライドさせることができる。
【００５１】
加えて、使用形態において、正面板５０の係止部５２が側板４０の上端部４１に係止されるので、側板４０からの正面板５０の引き抜けを確実に防止することができる。その結果、使用形態における陳列台１０の形態安定性を高めることができる。
【００５２】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５３】
１０  陳列台
１１  商品
２０  背板
２１  下端部
２２  側端部
３０  台板
３１  上壁
３１ｂ  側端部（側部）
３１ｃ  傾斜部（側部）
３１ｄ  前縁部
３２  下壁
３２ｂ  側端部（側部）
３２ｃ  傾斜部（側部）
３２ｄ  前縁部
３７  角部
４０，４０Ｌ，４０Ｒ  側板
４２  外壁
４３  内壁
４８  縦罫線（折り曲げ部）
４９  切り込み（折り曲げ部）
５０  正面板
５１Ｌ，５１Ｒ  左右両側の部分
５２  係止部
Ｌ  正面板の左右方向の長さ
Ｗ  背板の左右方向の幅
【図１】
2015128517.tif 000003
【図２】
2015128517.tif 000004
【図３】
2015128517.tif 000005
【図４】
2015128517.tif 000006
【図５】
2015128517.tif 000007
【図６】
2015128517.tif 000008
【図７】
2015128517.tif 000009
【図８】
2015128517.tif 000010
【図９】
2015128517.tif 000011